(57)【要約】【課題】放送情報と時刻情報を受信し、低コストおよび低消費電力で小型化が可能な受信装置を提供する。【解決手段】テレビジョン受信装置１は、少なくとも放送信号を含む受信対象信号が選択され、選択された受信対象信号に応じて局発周波数を決定し、局発周波数を有する局部発振信号を生成する局部発振信号生成手段と、局部発振信号と受信信号とを混合することにより、受信信号に含まれる受信対象信号を中間周波信号に変換する周波数変換手段と、所定の周波数帯域に含まれる中間周波信号を復調する復調手段６０と、情報を出力する出力手段８０とを備え、受信対象信号に時刻信号が含まれる場合、放送信号の中で狭帯域の階層が変換された中間周波信号の占有周波数帯域と、時刻信号が変換された中間周波信号の占有周波数帯域とが、所定の周波数帯域に含まれると共に、２つの占有周波数帯域が互いに重ならないように、局発周波数をそれぞれ決定する。【選択図】図１
2008288651.tif 000002
【特許請求の範囲】
【請求項１】
少なくとも広帯域と狭帯域の２つの階層毎に放送情報が変調され、割当てられた放送チャンネルの周波数でそれぞれ送信される放送信号および、時刻情報が変調され、所定の周波数で送信される時刻信号とを含む受信信号が入力される入力手段と、
前記入力された前記受信信号に含まれる前記放送信号および前記時刻信号から、前記放送信号を含み、前記時刻信号を含むか否かを選択可能な受信対象信号を選択させる選択手段と、
前記選択された前記受信対象信号に含まれる前記放送信号に応じて決定された第１の局発周波数を有する第１の局部発振信号を生成するとともに、前記選択された前記受信対象信号に前記時刻信号が含まれる場合には、前記時刻信号に応じて決定された第２の局発周波数を有する第２の局部発振信号を生成する局部発振信号生成手段と、
前記第１の局部発振信号と前記受信信号とを混合することにより、前記受信信号に含まれる前記放送信号を、前記第１の局発周波数と前記放送信号の周波数との差分を周波数とする第１の中間周波信号に変換するとともに、前記選択された前記受信対象信号に前記時刻信号が含まれる場合には、前記第２の局部発振信号と前記受信信号とを混合することにより、前記受信信号に含まれる前記時刻信号を、前記第２の局発周波数と前記時刻信号の周波数との差分を周波数とする第２の中間周波信号に変換する変換手段と、
所定の周波数帯域に含まれる前記第１の中間周波信号に含まれる前記放送情報を取り出すべく、前記第１の中間周波信号を復調するとともに、前記選択された前記受信対象信号に前記時刻信号が含まれる場合には、前記第２の中間周波信号に含まれる前記時刻情報を取り出すべく、前記第２の中間周波信号を復調する復調手段と、
前記取り出された前記放送情報を出力するとともに、前記選択された前記受信対象信号に前記時刻信号が含まれる場合には、前記取り出された前記時刻情報を出力する出力手段とを備え、
前記局部発振信号生成手段は、
前記時刻信号が前記受信対象信号に含まれる場合、前記放送信号のうち、前記狭帯域の階層が変換された前記第１の中間周波信号の第１の占有周波数帯域と、前記第２の中間周波信号の第２の占有周波数帯域とが、前記所定の周波数帯域に含まれると共に、前記第１および第２の占有周波数帯域が互いに重ならないように、前記局発周波数をそれぞれ決定し、
前記時刻信号が前記受信対象信号に含まれない場合、前記放送信号のうち、前記広帯域の階層が変換された前記第１の中間周波信号の第３の占有周波数帯域が、前記所定の周波数帯域に含まれるように、前記局発周波数を決定することを特徴とする受信装置。
【請求項２】
請求項１に記載の受信装置において、
前記局部発振信号生成手段は、前記第１の中間周波信号の周波数が、前記所定の周波数帯域の中心周波数と等しくなるように、前記第１の局発周波数を決定することを特徴とする受信装置。
【請求項３】
請求項２に記載の受信装置において、
前記局部発振信号生成手段は、更に、前記第２のの占有周波数帯域が、前記所定の周波数帯域の端部近傍に分布されるように、前記第２の局発周波数を決定することを特徴とする受信装置。
【請求項４】
請求項１乃至３のいずれか１項に記載の受信装置において、
前記第１の占有周波数帯域および前記第３の占有周波数帯域とが少なくとも通過可能な減衰特性を有し、前記第１の中間周波信号をフィルタリングするバンドパスフィルタを備え、
前記復調手段は、前記バンドパスフィルタでフィルタリングされた前記第１の中間周波信号を復調することを特徴とする受信装置。
【請求項５】
請求項１乃至３のいずれか１項に記載の受信装置において、
前記第１の占有周波数帯域が通過可能な減衰特性を有し、前記第１の中間周波信号をフィルタリングする第１のバンドパスフィルタと、
前記第３の占有周波数帯域が通過可能な減衰特性を有し、前記第１の中間周波信号をフィルタリングする第２のバンドパスフィルタと、
前記受信対象信号に前記時刻信号が含まれる場合は、前記第１のバンドパスフィルタを選択し、前記受信対象信号に前記時刻信号が含まれる場合は、前記第２のバンドパスフィルタを選択するスイッチと、を備え、
前記復調手段は、前記スイッチで選択された前記第１または第２のバンドパスフィルタでフィルタリングされた前記第１の中間周波信号を復調することを特徴とする受信装置。
【請求項６】
請求項１乃至５のいずれか１項に記載の受信装置において、
前記出力手段は、前記取り出された前記放送情報および前記時刻情報を表示する表示手段を備え、
前記表示手段は、前記放送情報および前記時刻情報を重畳して表示することを特徴とする受信装置。
【請求項７】
請求項６に記載の受信装置において、
前記表示手段は、前記放送情報および前記時刻情報の何れか一方を表示すると共に、前記放送情報および前記時刻情報の何れか他方を縮小して表示することを特徴とする受信装置。
【請求項８】
請求項７に記載の受信装置において、
前記表示手段は、前記狭帯域の階層に含まれる前記放送情報を縮小して表示することを特徴とする受信装置。
【請求項９】
請求項１乃至８のいずれか１項に記載の受信装置において、
前記所定の周波数帯域は、前記復調手段が復調可能な周波数帯域であることを特徴とする受信装置。
【請求項１０】
請求項１乃至９のいずれか１項に記載の受信装置において、
前記時刻情報は、ＣＤＭＡ変調されていることを特徴とする受信装置。
【請求項１１】
請求項１乃至１０のいずれか１項に記載の受信装置において、
前記時刻情報は、Ｐｅｒｓｏｎａｌ  Ｈａｎｄｙｐｈｏｎｅ  Ｓｙｓｔｅｍの電波に重畳されていることを特徴とする受信装置。
【発明の詳細な説明】
【技術分野】
【０００１】
本発明は、放送情報と時刻情報とを受信する受信装置に関する。
【背景技術】
【０００２】
デジタル放送の１つである地上デジタル放送の放送信号は、ＵＨＦ（Ｕｌｔｒａ  Ｈｉｇｈ  Ｆｒｅｑｕｅｎｃｙ）帯の周波数である４７３．１４ＭＨｚ（中心周波数）を１３チャンネルとして、６ＭＨｚの帯域幅毎に６２チャンネルまで割当てられた電波を搬送媒体としている。１つの帯域幅は１４分割されると共に、この中の１３個がセグメントとして使用されている。これらのセグメントは、１セグメントから成る狭帯域の強階層と、１２セグメントから成り、強階層よりも所要ＣＮ比（Ｃａｒｒｉｅｒ  Ｎｏｉｓｅ  ｒａｔｉｏ）が高い広帯域の弱階層の２つの階層に分離され階層伝送される。このような階層伝送により、１セグメントから成る強階層を用いて低解像度のテレビ放送が配信され、１２セグメントから成る弱階層を用いてハイビジョン等の高解像度のテレビ放送が配信されている。このようなデジタル放送を受信するテレビ受信機や録画装置等の電子機器においては、予約録画の時刻設定や、有料放送あるいは著作権保護のための再生可能な有効期間の確定等のため、正確な時刻情報を取得することが極めて重要になっている。このような正確な時刻情報は、地上基地局から送信される長波帯域の標準電波や、ＧＰＳ（Ｇｌｏｂａｌ  Ｐｏｓｉｔｉｏｎｉｎｇ  Ｓｙｓｔｅｍ）衛星から送信される極超短波帯域の時刻データを受信することにより取得できることが知られている。更に、近年では、下記特許文献１に記載されているように、移動通信を目的として、ＣＤＭＡ（Ｃｏｄｅ  Ｄｉｖｉｓｉｏｎ  Ｍｕｌｔｉｐｌｅ  Ａｃｃｅｓｓ）変調されて送信される極超短波帯域の電波に含まれる時刻信号を受信して、正確な時刻を取得する装置が提案されている。このような極超短波帯域の電波は、種々の中継局から遍く中継されるため、長波帯域の標準電波やＧＰＳ衛星からの電波と比較して、建物の中や地下のような様々な移動先においても、良好に受信できることが知られている。
【０００３】
【特許文献１】特開２０００−３２１３８３号公報
【発明の開示】
【発明が解決しようとする課題】
【０００４】
しかしながら、テレビ受信機や録画装置等の電子機器において、デジタル放送を表示中に、時刻信号の電波を受信して時刻情報も同時に表示させるためには、ＣＤＭＡ変調された受信信号を復調して時刻情報を抽出するための受信回路を、デジタル放送を受信する電子機器の回路に組み込み、それぞれの回路を制御する必要があるため、電子機器の製作に要するコストが上昇すると共に、電子機器のサイズが大型化され、消費電力も増大した。
【課題を解決するための手段】
【０００５】
本発明の受信装置は、少なくとも広帯域と狭帯域の２つの階層毎に放送情報が変調され、割当てられた放送チャンネルの周波数でそれぞれ送信される放送信号および、時刻情報が変調され、所定の周波数で送信される時刻信号とを含む受信信号が入力される入力手段と、前記入力された前記受信信号に含まれる前記放送信号および前記時刻信号から、前記放送信号を含み、前記時刻信号を含むか否かを選択可能な受信対象信号を選択させる選択手段と、前記選択された前記受信対象信号に含まれる前記放送信号に応じて決定された第１の局発周波数を有する第１の局部発振信号を生成するとともに、前記選択された前記受信対象信号に前記時刻信号が含まれる場合には、前記時刻信号に応じて決定された第２の局発周波数を有する第２の局部発振信号を生成する局部発振信号生成手段と、前記第１の局部発振信号と前記受信信号とを混合することにより、前記受信信号に含まれる前記放送信号を、前記第１の局発周波数と前記放送信号の周波数との差分を周波数とする第１の中間周波信号に変換するとともに、前記選択された前記受信対象信号に前記時刻信号が含まれる場合には、前記第２の局部発振信号と前記受信信号とを混合することにより、前記受信信号に含まれる前記時刻信号を、前記第２の局発周波数と前記時刻信号の周波数との差分を周波数とする第２の中間周波信号に変換する変換手段と、所定の周波数帯域に含まれる前記第１の中間周波信号に含まれる前記放送情報を取り出すべく、前記第１の中間周波信号を復調するとともに、前記選択された前記受信対象信号に前記時刻信号が含まれる場合には、前記第２の中間周波信号に含まれる前記時刻情報を取り出すべく、前記第２の中間周波信号を復調する復調手段と、前記取り出された前記放送情報を出力するとともに、前記選択された前記受信対象信号に前記時刻信号が含まれる場合には、前記取り出された前記時刻情報を出力する出力手段とを備え、前記局部発振信号生成手段は、前記時刻信号が前記受信対象信号に含まれる場合、前記放送信号のうち、前記狭帯域の階層が変換された前記第１の中間周波信号の第１の占有周波数帯域と、前記第２の中間周波信号の第２の占有周波数帯域とが、前記所定の周波数帯域に含まれると共に、前記第１および第２の占有周波数帯域が互いに重ならないように、前記局発周波数をそれぞれ決定し、前記時刻信号が前記受信対象信号に含まれない場合、前記放送信号のうち、前記広帯域の階層が変換された前記第１の中間周波信号の第３の占有周波数帯域が、前記所定の周波数帯域に含まれるように、前記局発周波数を決定することを特徴とする。
【０００６】
この発明によれば、放送信号および時刻信号のうち、放送信号を受信対象信号とする場合、広帯域の階層を含む放送信号は、占有周波数帯域が所定の周波数帯域に含まれる中間周波信号に変換された後、復調手段により復調され、広帯域の階層の放送情報が取り出されて出力される。また、放送信号および時刻信号の２つを受信対象信号とする場合、狭帯域の階層を含む放送信号と時刻信号は、それぞれの占有周波数帯域が、互いに重なることなく、何れも所定の周波数帯域に含まれる２つの中間周波信号に変換された後、復調手段でそれぞれ復調され、狭帯域の階層の放送情報および時刻情報が取り出されて出力される。従って、何れの場合であっても、所定の周波数帯域に含まれる中間周波信号を復調することで、取得すべき情報を取り出せることから、復調するための処理を共通化できるため、このような受信装置を安価に実現できると共に、受信装置の小型化および低消費電力化が容易になる。
【０００７】
本発明の受信装置では、前記局部発振信号生成手段は、前記第１の中間周波信号の周波数が、前記所定の周波数帯域の中心周波数と等しくなるように、前記第１の局発周波数を決定することが好ましい。
この発明によれば、第１の中間周波信号の周波数は、所定の周波数帯域の中心周波数に変換されるため、放送信号の復調処理が容易になる。
【０００８】
本発明の受信装置では、前記局部発振信号生成手段は、更に、前記第２のの占有周波数帯域が、前記所定の周波数帯域の端部近傍に分布されるように、前記第２の局発周波数を決定することが好ましい。
この発明によれば、２つの中間周波信号による相互干渉を回避できる。
【０００９】
本発明の受信装置は、前記第１の占有周波数帯域および前記第３の占有周波数帯域とが少なくとも通過可能な減衰特性を有し、前記第１の中間周波信号をフィルタリングするバンドパスフィルタを備え、前記復調手段は、前記バンドパスフィルタでフィルタリングされた前記第１の中間周波信号を復調しても良い。また、本発明の受信装置は、前記第１の占有周波数帯域が通過可能な減衰特性を有し、前記第１の中間周波信号をフィルタリングする第１のバンドパスフィルタと、前記第３の占有周波数帯域が通過可能な減衰特性を有し、前記第１の中間周波信号をフィルタリングする第２のバンドパスフィルタと、前記受信対象信号に前記時刻信号が含まれる場合は、前記第１のバンドパスフィルタを選択し、前記受信対象信号に前記時刻信号が含まれる場合は、前記第２のバンドパスフィルタを選択するスイッチと、を備え、前記復調手段は、前記スイッチで選択された前記第１または第２のバンドパスフィルタでフィルタリングされた前記第１の中間周波信号を復調しても良い。
【００１０】
本発明の受信装置では、前記出力手段は、前記取り出された前記放送情報および前記時刻情報を表示する表示手段を備え、前記表示手段は、前記放送情報および前記時刻情報を重畳して表示することが好ましい。
この発明によれば、放送情報と時刻情報とを同時に表示できる。
【００１１】
本発明の受信装置では、前記表示手段は、前記放送情報および前記時刻情報の何れか一方を表示すると共に、前記放送情報および前記時刻情報の何れか他方を縮小して表示しても良い。また、本発明の受信装置では、前記表示手段は、前記狭帯域の階層に含まれる前記放送情報を縮小して表示しても良い。
【００１２】
本発明の受信装置では、前記所定の周波数帯域は、前記復調手段が復調可能な周波数帯域であっても良い。また、本発明の受信装置では、前記時刻情報は、ＣＤＭＡ変調されていても良い。更に、本発明の受信装置では、前記時刻情報は、Ｐｅｒｓｏｎａｌ  Ｈａｎｄｙｐｈｏｎｅ  Ｓｙｓｔｅｍの電波に重畳されていても良い。
【発明を実施するための最良の形態】
【００１３】
以下、本発明に係る受信装置の実施形態について図面を参照して説明する。
【００１４】
（実施形態１）
図１は、本発明の実施形態１に係る受信装置の一実施例であるテレビジョン受信装置１の機能構成を示すブロック図である。このテレビジョン受信装置１は、所定の周波数帯域の電波を用いて配信される地上波のデジタルテレビ放送を受信すると共に、ＣＤＭＡ変調されて送信される極超短波帯域の電波に含まれる時刻情報を受信して、この時刻情報が有する正確な時刻を出力する。
【００１５】
テレビジョン受信装置１は、アンテナ１０と、チューナ２０と、操作指示手段８６と、復調手段６０と、出力手段８０と、電源供給手段９０とを備える。また、チューナ２０は、ＲＦ（Ｒａｄｉｏ  Ｆｒｅｑｕｅｎｃｙ）部として機能し、ローノイズアンプ２２と、ＣＤＭＡ信号用周波数変換手段３２と、ＣＤＭＡ信号用局部発振信号生成手段（以降、「ＣＤＭＡ用局発信号生成手段」と略す。）３４と、ＣＤＭＡ信号用ＩＦバンドパスフィルタ３６と、ＣＤＭＡ信号用ＩＦアンプ３８と、ＴＶ信号用局部発振信号生成手段（以降、「ＴＶ用局発信号生成手段」と略す。）４０と、ＴＶ信号用周波数変換手段４２と、ＴＶ信号用ＩＦバンドパスフィルタ４４と、ＩＦアンプ２４とを有する。この中で、ＣＤＭＡ信号用周波数変換手段３２と、ＣＤＭＡ用局発信号生成手段３４と、ＣＤＭＡ信号用ＩＦバンドパスフィルタ３６と、ＣＤＭＡ信号用ＩＦアンプ３８は、ＣＤＭＡ受信部３０を構成する。
【００１６】
また、復調手段６０は、ベースバンド部として機能し、ＣＤＭＡ復調手段６４と、時刻情報取得手段６６と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調手段６８と、ＭＰＥＧ（Ｍｏｖｉｎｇ  Ｐｉｃｔｕｒｅ  Ｅｘｐｅｒｔｓ  Ｇｒｏｕｐ）復調手段７０とを有する。この中で、ＣＤＭＡ復調手段６４と、時刻情報取得手段６６は、時刻信号復調部６２を構成する。尚、チューナ２０および復調手段６０の各機能部は、図示は略すが、集積回路等の電気回路で実現させても良く、また、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）等で構成され、これらのハードウェアとソフトウェアとを協働させて実現しても良い。
【００１７】
アンテナ１０は、所定の利得特性を有し、空中に放射された電波を入力するための入力手段である。本実施形態１では、少なくとも広帯域と狭帯域の２つの階層毎に放送情報が変調され、割当てられた放送チャンネルの周波数でそれぞれ送信される放送信号と、時刻情報が変調され、所定の周波数で送信される時刻信号とを含む受信信号とが、このアンテナ１０に入力される。本実施形態１では、テレビジョン受信装置１の受信可能な帯域幅を示す受信帯域幅は、地上波デジタル放送の１３セグメント（占有周波数帯域幅：５．６ＭＨｚ）に対応している。尚、広帯域の階層により放送されるコンテンツと、狭帯域の階層により放送されるコンテンツは同一である（サイマル放送）。
【００１８】
また、時刻信号の電波は、携帯電話のような移動通信を目的として、ＣＤＭＡ変調された時刻情報を含み、例えば、８４３．９ＭＨｚ（セカンダリーチャンネル）や８６０．９５ＭＨｚ（プライマリーチャンネル）のような極超短波帯域に１．２３ＭＨｚの占有周波数帯域幅で基地局から送信される。ここで、ＣＤＭＡ変調とは、狭帯域の変調波を拡散符号によって再度変調し、受信側で通信チャネルごとに異なる拡散符号を割当てることで多チャネルでの通信を可能にする変調方式である。
【００１９】
チューナ２０は、入力された受信信号の中から選択された放送信号または時刻信号を、所定の中間周波信号に変換して出力する。対象とする信号の選択は、操作指示手段８６を介して指示される。この操作指示手段８６は、放送信号および時刻信号の中から、受信対象信号を選択する機能を有し、ユーザにより操作されるリモコンを想定しても良い。ユーザは、このリモコンを操作することで、視聴する放送チャンネルを選択し、選択された放送チャンネルのデジタルテレビ放送を視聴できる。また、このリモコンの操作により、デジタルテレビ放送を視聴中に、時刻表示を指示できる。
【００２０】
ＴＶ用局発信号生成手段４０は、操作指示手段８６からの指示に従い、受信する放送チャンネルの周波数に応じた第１の局発周波数を有する第１の局部発振信号を生成する。生成された第１の局部発振信号は、ＴＶ信号用周波数変換手段４２に送られる。同様に、ＣＤＭＡ用局発信号生成手段３４は、操作指示手段８６からの指示に従い、受信する時刻信号の周波数に応じた第２の局発周波数を有する第２の局部発振信号を生成する。生成された第２の局部発振信号は、ＣＤＭＡ信号用周波数変換手段３２に送られる。
【００２１】
他方で、ローノイズアンプ２２は、チューナ２０に入力された受信信号を増幅する。本実施形態１では、このローノイズアンプ２２の動作帯域は、地上デジタル放送の１３チャンネルから６２チャンネルまでの周波数帯域（４７０ＭＨｚ〜７７０ＭＨｚ）、ＣＤＭＡ基地局からのセカンダリーチャンネル送信周波数（８４３．９±０．６１５ＭＨｚ）およびＣＤＭＡ基地局からのプライマリーチャンネル送信周波数（８６０．９５±０．６１５ＭＨｚ）である。このローノイズアンプ２２により増幅された受信信号は、ＴＶ信号用周波数変換手段４２およびＣＤＭＡ信号用周波数変換手段３２に送られる。
【００２２】
ＴＶ信号用周波数変換手段４２およびＣＤＭＡ信号用周波数変換手段３２は、所謂ミキサ（混合器）であり、それぞれ入力された局部発振信号と受信信号とを混合することにより、受信信号に含まれる受信対象信号を、この受信対象信号の周波数と局部発振信号の局発周波数との差分を周波数とするＩＦ（Ｉｎｔｅｒｍｅｄｉａｔｅ  Ｆｒｅｑｕｅｎｃｙ：中間周波）信号にそれぞれ変換する。一般的に、高周波信号を受信する受信機では、後段の復調処理を容易にすべく、ＩＦ信号の周波数は、受信信号よりも周波数が低い中間周波数に変換される。本実施形態１のテレビジョン受信装置１では、中間周波数は５７ＭＨｚに設計され、ＴＶ用局発信号生成手段４０は、放送信号を含むＩＦ信号の中心周波数が中間周波数（５７ＭＨｚ）になるように、それぞれの放送チャンネル毎に第１の局発周波数を決定する。決定された第１の局発周波数に応じて、ＴＶ信号用周波数変換手段４２で変換されたＩＦ信号は、ＴＶ信号用ＩＦバンドパスフィルタ４４に送られる。
【００２３】
また、ＣＤＭＡ用局発信号生成手段３４は、時刻信号を含むＩＦ信号の中心周波数が、５４．９ＭＨｚになるように、第２の局発周波数を決定する。従って、セカンダリーチャンネルを受信対象とする場合、第２の局発周波数は７８９ＭＨｚとなり、プライマリーチャンネルを受信対象とする場合、第２の局発周波数は８０６．０５ＭＨｚとなる。ここで、図２は、ＩＦアンプ２４に入力される２つのＩＦ信号の周波数帯域と信号強度をそれぞれ示す図である。この図２に示すように、第２の局発周波数は、時刻信号を含むＩＦ信号の占有周波数帯域（５４．２８５ＭＨｚ〜５５．５１５ＭＨｚ）が、中間周波数（５７ＭＨｚ）を中心周波数とする放送信号の１３セグメント分の周波数帯域（５４．２ＭＨｚ〜５９．８ＭＨｚ）に含まれ、更に、地上波デジタル放送の１セグメント分の占有周波数帯域（５６．７８５５ＭＨｚ〜５７．２１４５ＭＨｚ）と互いに重ならないように決定される。尚、中心周波数は、５４．９ＭＨｚに限定されるものではなく、前記した条件を満たすような中心周波数であれば、どのような周波数でも良い。ＣＤＭＡ用局発信号生成手段３４で決定された第２の局発周波数に応じて、時刻信号を含む受信対象信号は、ＣＤＭＡ信号用周波数変換手段３２によりＩＦ信号に変換され、ＣＤＭＡ信号用ＩＦバンドパスフィルタ３６に送られる。
【００２４】
ＴＶ信号用ＩＦバンドパスフィルタ４４は、放送信号を含むＩＦ信号をフィルタリングする。このＴＶ信号用ＩＦバンドパスフィルタ４４は、図２に示すように、中間周波数である５７ＭＨｚを中心周波数として、地上波デジタル放送の１３セグメント分（５．６ＭＨｚ）の帯域が少なくとも通過可能な減衰特性を有する。従って、ＩＦ信号に含まれる放送信号は、ＴＶ信号用ＩＦバンドパスフィルタ４４を透過する。ＴＶ信号用ＩＦバンドパスフィルタ４４を通過したＩＦ信号は、ＩＦアンプ２４に送られる。
【００２５】
また、ＣＤＭＡ信号用ＩＦバンドパスフィルタ３６は、時刻信号を含むＩＦ信号をフィルタリングする。このＣＤＭＡ信号用ＩＦバンドパスフィルタ３６は、図２に示すように、５４．９ＭＨｚを中心周波数として、時刻信号の周波数帯域（１．２３ＭＨｚ）が少なくとも通過可能となるような減衰特性を有する。ＣＤＭＡ信号用ＩＦバンドパスフィルタ３６を通過したＩＦ信号は、ＣＤＭＡ信号用ＩＦアンプ３８に送られて増幅される。この結果、時刻信号を含むＩＦ信号の信号強度（Ｓ２）は、放送信号を含むＩＦ信号の信号強度（Ｓ１）に比べて充分に大きくなる。増幅された時刻信号を含むＩＦ信号は、ＩＦアンプ２４に送られる。ＩＦアンプ２４は、放送信号と時刻信号を含むＩＦ信号をそれぞれ増幅し、増幅された２つのＩＦ信号は復調手段６０に送られる。
【００２６】
復調手段６０は、本実施形態１では、テレビジョン受信装置１の中間周波数（５７ＭＨｚ）を中心周波数として、１３セグメント分の帯域幅を有する周波数帯域（５４．２ＭＨｚ〜５９．８ＭＨｚ）を復調可能な周波数帯域とし、この周波数帯域に含まれるＩＦ信号を復調することにより、このＩＦ信号に含まれる放送情報および時刻情報を取り出す。ここで、ＩＦ信号に含まれる放送情報のみを取り出す場合、ＩＦアンプ２４から出力された放送信号を含むＩＦ信号は、Ａ／Ｄ変換された後、ＯＦＤＭ復調手段６８に送られる。ＯＦＤＭ復調手段６８は、ＯＦＤＭ変調された搬送波の信号を、デジタル信号に復調する。この場合、復調されるデジタル信号は、１２セグメントから成る弱階層を用いて送信される高解像度のテレビ放送の信号であり、ＭＰＥＧ復調手段７０に送られて復調されることにより、圧縮された音声信号と映像信号が伸張されて取り出され、出力手段８０に送られる。また、ＩＦ信号に含まれる放送情報と時刻情報を取り出す場合、復調されるデジタル信号は、１セグメントから成る強階層を用いて送信される低解像度のテレビ放送の信号であり、ＭＰＥＧ復調手段７０に送られて復調されることにより、圧縮された音声信号と映像信号が伸張されて取り出され、出力手段８０に送られる。
【００２７】
また、時刻信号復調部６２は、入力されたＩＦ信号のうち、時刻信号を含むＩＦ信号を復調して、時刻情報を取り出す。尚、図２に示すように、入力されたＩＦ信号には、時刻信号の占有周波数帯域（５４．２８５ＭＨｚ〜５５．５１５ＭＨｚ）と同じ周波数のテレビ放送の信号が含まれる。しかしながら、時刻信号を含むＩＦ信号の信号強度（Ｓ２）は、放送信号を含むＩＦ信号の信号強度（Ｓ１）に比べて充分に大きいため、時刻信号を含むＩＦ信号を対象に復調できる。即ち、ＣＤＭＡ復調手段６４は、時刻信号を含むＩＦ信号の中から、位相が直交する２つのデジタル信号（Ｉ信号、Ｑ信号）に対してシンクチャンネル信号を復調する。復調されたシンクチャンネル信号は、時刻情報取得手段６６に送られる。時刻情報取得手段６６は、復調されたシンクチャンネル信号から時刻データを含むシンクチャンネル信号のデータを復号し、このシンクチャンネル信号のデータに含まれる時刻データを抽出する。抽出された時刻データは、出力手段８０に送られる。尚、本実施形態１では、ＯＦＤＭ復調手段６８およびＣＤＭＡ復調手段６４に入力されるＩＦ信号は、放送信号を含むＩＦ信号と時刻信号を含むＩＦ信号とが混合された状態で入力されるが、それぞれのＩＦ信号を分離するためのフィルタを、チューナ２０と復調手段６０の間に設けても良い。
【００２８】
出力手段８０は、ディスプレイ８２およびスピーカ８４を備える。ディスプレイ８２は、復調手段６０から送られる時刻データおよび映像信号の何れかを表示する。また、スピーカ８４は、映像信号と同期した音声信号や、時刻データの音声信号を出力する。
【００２９】
尚、出力手段８０は、ディスプレイ８２およびスピーカ８４に限定されるものでは無く、ＵＳＢ（Ｕｎｉｖｅｒｓａｌ  Ｓｅｒｉａｌ  Ｂｕｓ）規格のようなインターフェイス規格に従い電気信号に変換し、通信可能に接続された他の情報機器装置等に出力しても良い。また、時刻信号は、テレビジョン受信装置１が備える時計機能部（図示は略す。）に出力し、テレビジョン受信装置１は内蔵する時計を時刻信号に基づき修正しても良い。
【００３０】
電源供給手段９０は、電源９２からの電力を、ＣＤＭＡ受信部３０および時刻信号復調部６２に対して、スイッチ１（９４）により選択的に供給する。このスイッチ１（９４）は、受信対象信号を選択する機能を有し、操作指示手段８６から指示される。即ち、スイッチ１（９４）が操作され、ＣＤＭＡ受信部３０および時刻信号復調部６２に対して電力が供給されない場合、放送信号のみが受信対象信号となる。従って、復調手段６０は、ＩＦ信号に含まれる放送信号の中から、１２セグメントから成る高解像度の放送情報を取り出し、出力手段８０は取り出された放送情報を出力する。図３は、ディスプレイ８２に表示される情報を説明する図であり、ディスプレイ８２Ａには、１２セグメントから成る高解像度の映像が表示されている。
【００３１】
次に、スイッチ１（９４）が操作され、ＣＤＭＡ受信部３０および時刻信号復調部６２に対して電力が供給される場合、放送信号と時刻信号が受信対象信号となる。従って、復調手段６０は、ＩＦ信号に含まれる放送信号の中から、１セグメントから成る低解像度の放送情報を取り出すと共に、ＩＦ信号に含まれる時刻信号から時刻情報を取り出し、出力手段８０は、それぞれの情報を出力する。本実施形態１では、図３のディスプレイ８２Ｂに示すように、１セグメントから成る低解像度の映像に時刻データが重畳されて表示されても良く、ディスプレイ８２Ｃに示すように、１セグメントから成る低解像度の映像の一部領域に、縮小時刻データ８７が表示されても良い。また、ディスプレイ８２Ｄに示すように、時刻データの一部領域に、縮小映像８８が表示されても良い。この場合、表示される縮小映像８８は、１セグメントから成る低解像度の映像であるため、縮小することで画素の粗さは目立たない。尚、上記した表示の形態は、操作指示手段８６から指示されても良い。
【００３２】
以上述べた実施形態１によれば、以下のような効果を奏する。
（１）デジタル放送は、放送信号の復調・復元処理等に時間を要するため、放送信号から取得される時刻には誤差を含むが、本実施形態１のテレビジョン受信装置１は、ＣＤＭＡ変調された時刻信号から時刻情報を取得できるため、デジタル放送を視聴中においても、正確な時刻情報を必要に応じて表示できる。
（２）１セグメントで放送されるコンテンツと１２セグメントで放送されるコンテンツは、サイマル放送されているため、視聴中に切り換わってもディスプレイ８２に表示されるコンテンツの連続性は確保される。
【００３３】
（実施形態２）
次に、本発明の実施形態２について、図４および図５を参照して説明する。尚、以下の説明では、既に説明した部分と同じ部分については、同一符号を付してその説明を省略する。
【００３４】
図４は、本発明の実施形態２におけるテレビジョン受信装置１の機能構成を示すブロック図である。前述した実施形態１においては、ＴＶ信号用ＩＦバンドパスフィルタ４４は、地上波デジタル放送の１３セグメント分（５．６ＭＨｚ）の帯域が通過可能な減衰特性を有するため、１セグメントの放送情報を出力する場合においても、チューナ２０から出力されるＩＦ信号には１２セグメントの放送信号が含まれた。本実施形態２では、１セグメントの放送情報を出力する場合と、１２セグメントの放送情報を出力する場合とでバンドパスフィルタをそれぞれ切り替える。チューナ２０は、実施形態１におけるＴＶ信号用ＩＦバンドパスフィルタ４４に代えて、１セグ用ＩＦバンドパスフィルタ４６と、１２セグ用ＩＦバンドパスフィルタ４８と、スイッチ２（５０）と、スイッチ３（５２）とを備える。スイッチ２（５０）とスイッチ３（５２）は、スイッチ１（９４）と連動する。即ち、スイッチ１（９４）が断線（ＯＦＦ）状態の場合、スイッチ２（５０）とスイッチ３（５２）は、１２セグ用ＩＦバンドパスフィルタ４８側と結線する。他方で、スイッチ１（９４）が結線（ＯＮ）状態の場合、スイッチ２（５０）とスイッチ３（５２）は、１セグ用ＩＦバンドパスフィルタ４６側と結線する。尚、本実施形態２では、１セグ用ＩＦバンドパスフィルタ４６と、１２セグ用ＩＦバンドパスフィルタ４８とを並列に配置したが、これらを直列に配置して、何れか１つのフィルタを電気的に通過させる回路であっても良い。本実施形態２では、１セグ用ＩＦバンドパスフィルタ４６と、１２セグ用ＩＦバンドパスフィルタ４８として、ＳＡＷ（Ｓｕｒｆａｃｅ  Ａｃｏｕｓｔｉｃ  Ｗａｖｅ）フィルタを採用する。ＳＡＷフィルタは、一般的に、入手が容易であることに加え、図５に示すように、急峻な減衰特性を有することが知られている。
【００３５】
ここで、図５は、本実施形態２において、ＩＦアンプ２４に入力される２つのＩＦ信号の周波数帯域と信号強度をそれぞれ示す図である。最初に、スイッチ１（９４）が断線（ＯＦＦ）状態の場合、受信対象信号は放送信号のみであり、ＣＤＭＡ受信部３０と時刻信号復調部６２に電源が供給されないため、時刻信号は復調されない。また、スイッチ２（５０）とスイッチ３（５２）は、１２セグ用ＩＦバンドパスフィルタ４８を選択するため、図５に示すような１２セグメント対応減衰特性が適用され、１３セグメント帯域（５．６ＭＨｚ）の画像信号がチューナ２０から出力される。この結果、復調手段６０で１２セグメントから成る高解像度の放送情報が取り出されて出力され、ディスプレイ８２には、１２セグメントから成る高解像度の映像が表示される。
【００３６】
他方で、スイッチ１（９４）が結線（ＯＮ）状態の場合、受信対象信号は放送信号と時刻信号であり、ＣＤＭＡ受信部３０と時刻信号復調部６２に電源が供給される。この結果、図５に示すような時刻信号の減衰特性が適用され、５４．９ＭＨｚを中心周波数とするＣＤＭＡ帯域（１．２３ＭＨｚ）に含まれる時刻信号は、チューナ２０から出力された後、復調手段６０で時刻情報が取り出されて出力される。また、スイッチ２（５０）とスイッチ３（５２）は、１セグ用ＩＦバンドパスフィルタ４６を選択するため、図５に示すような１セグメント対応減衰特性が適用される。この結果、中間周波数（５７ＭＨｚ）を中心周波数とする１セグメント帯域（０．４２９ＭＨｚ）の画像信号は、チューナ２０から出力された後、復調手段６０で１セグメントから成る低解像度の放送情報が取り出されて出力される。従って、ディスプレイ８２には、１セグメントから成る低解像度の映像と時刻データとが表示される。尚、本実施形態２では、ＣＤＭＡ信号用ＩＦアンプ３８を具備しないため、チューナ２０から出力される放送信号の信号強度（Ｓ１）と時刻信号の信号強度（Ｓ２）とが略同じになる。
【００３７】
以上述べた実施形態２によれば、実施形態１で述べた（１）および（２）の効果に加え、以下の効果を奏する。
（３）時刻情報を取得する場合、時刻信号を含むＣＤＭＡ帯域の周波数帯域には、画像信号が含まれないため、画像信号の影響を受けることなく時刻情報を取得できる。
【００３８】
以上、本発明を図示した実施形態に基づいて説明したが、本発明は、本実施形態に限定されるものではなく、以下に述べるような変形例も想定できる。
（１）ディスプレイ８２に表示される時刻情報は、デジタル形式に限定されるものではなく、アナログ形式で指針により時刻表示されても良い。
（２）時刻情報の取得は、ユーザ指示によるほか一定時間毎に自動的に行い、テレビジョン受信装置１が備える時計機能部の時刻校正を実行しても良い。また、その場合の時刻は、ディスプレイ８２に表示してもしなくても良い。
（３）チューナ２０部をダブルスーパヘテロダイン構成として、更に低い中間周波数に変換しても良い。
【図面の簡単な説明】
【００３９】
【図１】本発明の実施形態１に係る受信装置の一実施例であるテレビジョン受信装置の機能構成を示すブロック図。
【図２】実施形態１において、ＩＦアンプに入力される２つのＩＦ信号の周波数帯域と信号強度をそれぞれ示す図。
【図３】ディスプレイに表示される情報を説明する図。
【図４】本発明の実施形態２に係る受信装置の一実施例であるテレビジョン受信装置の機能構成を示すブロック図。
【図５】実施形態２において、ＩＦアンプに入力される２つのＩＦ信号の周波数帯域と信号強度をそれぞれ示す図。
【符号の説明】
【００４０】
１…テレビジョン受信装置、１０…アンテナ、２０…チューナ、２２…ローノイズアンプ、２４…ＩＦアンプ、３０…ＣＤＭＡ受信部、３２…ＣＤＭＡ信号用周波数変換手段、３４…ＣＤＭＡ信号用局部発振信号生成手段、３６…ＣＤＭＡ信号用ＩＦバンドパスフィルタ、３８…ＣＤＭＡ信号用ＩＦアンプ、４０…ＴＶ信号用局部発振信号生成手段、４２…ＴＶ信号用周波数変換手段、４４…ＴＶ信号用ＩＦバンドパスフィルタ、４６…１セグ用ＩＦバンドパスフィルタ、４８…１２セグ用ＩＦバンドパスフィルタ、５０…スイッチ２、５２…スイッチ３、６０…復調手段、６２…時刻信号復調部、６４…ＣＤＭＡ復調手段、６６…時刻情報取得手段、６８…ＯＦＤＭ復調手段、７０…ＭＰＥＧ復調手段、８０…出力手段、８２…ディスプレイ、８２Ａ〜８２Ｄ…ディスプレイ、８４…スピーカ、８６…操作指示手段、８７…縮小時刻データ、８８…縮小映像、９０…電源供給手段、９２…電源、９４…スイッチ１。
【図１】
2008288651.tif 000003
【図２】
2008288651.tif 000004
【図３】
2008288651.tif 000005
【図４】
2008288651.tif 000006
【図５】
2008288651.tif 000007